(57)【要約】【課題】デジタルコンテンツのコピーに係わるコメントを表示することで、ユーザによるコピー管理の利便性を向上することができるデジタルコンテンツコピー装置を提供すること。【解決手段】ユーザが、表示されたタイトル選択画面１００上のフォーカスＦを移動させて、コピー履歴を表示するデジタルコンテンツを選択すると、コピー履歴管理部（２２）は、フォーカスＦによって選択されたデジタルコンテンツに対応する履歴テーブル（５０）を検索し、ＯＳＤデータ生成部（２３）に出力する。前記履歴テーブル（５０）を受信したＯＳＤデータ生成部（２３）は、当該履歴テーブル（５０）に対応する、コピー履歴画面１０１用のＯＳＤデータを生成し、表示装置に出力する。前記表示装置は、コピー履歴画面１０１を表示する。【選択図】図１
2010033634.tif 000002
【特許請求の範囲】
【請求項１】
デジタルコンテンツコピー装置の記録装置に記録されたデジタルコンテンツを記録媒体にコピーするデジタルコンテンツコピー装置において、
デジタルコンテンツのコピーに係わるコメントを入力する手段と、
前記デジタルコンテンツに対応して、当該デジタルコンテンツを記録媒体にコピーする際に、ユーザによって入力された前記コメントを記録するテーブルを備え、
ユーザの指示により、デジタルコンテンツ毎に入力された前記コメントをリスト表示することを特徴とするデジタルコンテンツコピー装置。
【請求項２】
デジタルコンテンツコピー装置の記録装置に記録されたデジタルコンテンツを選択する画面を表示し、当該画面を介して指示されたデジタルコンテンツに係わる前記テーブルに記録された前記コメントをリスト表示することを特徴とする請求項１に記載のデジタルコンテンツコピー装置。
【請求項３】
前記テーブルには、少なくともコピー回数、及び、前記デジタルコンテンツに設定されている許容コピー回数が記録され、コピー回数が許容コピー回数に達した後、更に、ユーザによって、前記デジタルコンテンツのコピーが指示されると、所定のガイダンス画面を表示することを特徴とする請求項１又は２に記載のデジタルコンテンツコピー装置。
【発明の詳細な説明】
【技術分野】
【０００１】
本発明は、デジタルコンテンツをコピーするデジタルコンテンツコピー装置、特に、コピー履歴を表示できるデジタルコンテンツコピー装置に関する。
【背景技術】
【０００２】
デジタルコンテンツをコピーするユーザの利便性を向上させる技術が様々提案されている。
特許文献１には、ダビング（コピー）するデジタルコンテンツの選択を容易にするために、ダビングの日時情報を基準にして、デジタルコンテンツのリスト画面を表示できるオーディオダビング装置が開示されている。
また、特許文献２には、デジタルコンテンツのコピー処理の進行状況を示す画面を表示できる情報記録再生装置が開示されている。
【特許文献１】特開平１１−２３８３０３号公報
【特許文献２】特開２００３−２２６１０号公報
【発明の開示】
【発明が解決しようとする課題】
【０００３】
ところで、地上デジタル放送を受信してＨＤＤレコーダ等に記録する場合、２００７年の時点では、記録したデジタルコンテンツは、１回だけコピーすることが認められている（コピーワンス）。
しかし、視聴者の利便性を考慮して、地上デジタル放送を受信して記録した後、ＤＶＤ等の記録媒体に「９回のコピー」と「１回のムーブ」を可能にするいわゆるダビング１０という方式が検討されている。
【０００４】
このように、１つのデジタルコンテンツから複数のデジタルコンテンツをコピーできるようになると、ユーザによるデジタルコンテンツのコピー回数などのコピー履歴を管理する必要性が生じ、簡便なコピー管理の実現が望まれる。
【０００５】
例えば、ユーザが、どのような目的でどのようなデジタルコンテンツをコピーしたのか等、デジタルコンテンツのコピーに係わるコメントを入力して、以後、当該コメントを閲覧できるようになればユーザによるコピー管理が容易になり、ユーザの利便性が向上する。
【０００６】
しかし、上記の特許文献１及び特許文献２においては、ユーザによるコピー管理の利便性を向上させることは何ら想定されていない。
【０００７】
本発明は、かかる実情に鑑みてなされたものであり、デジタルコンテンツのコピーに係わるコメントを表示することで、ユーザによるコピー管理の利便性を向上することができるデジタルコンテンツコピー装置を提供することを目的とする。
【課題を解決するための手段】
【０００８】
第１の技術手段は、デジタルコンテンツコピー装置の記録装置に記録されたデジタルコンテンツを記録媒体にコピーするデジタルコンテンツコピー装置において、デジタルコンテンツのコピーに係わるコメントを入力する手段と、前記デジタルコンテンツに対応して、当該デジタルコンテンツを記録媒体にコピーする際に、ユーザによって入力された前記コメントを記録するテーブルを備え、ユーザの指示により、デジタルコンテンツ毎に入力された前記コメントをリスト表示することを特徴とするデジタルコンテンツコピー装置である。
【０００９】
第２の技術手段は、第１の技術手段において、デジタルコンテンツコピー装置の記録装置に記録されたデジタルコンテンツを選択する画面を表示し、当該画面を介して指示されたデジタルコンテンツに係わる前記テーブルに記録された前記コメントをリスト表示することを特徴とする。
【００１０】
第３の技術手段は、第１又は第２の技術手段において、前記テーブルには、少なくともコピー回数、及び、前記デジタルコンテンツに設定されている許容コピー回数が記録され、コピー回数が許容コピー回数に達した後、更に、ユーザによって、前記デジタルコンテンツのコピーが指示されると、所定のガイダンス画面を表示することを特徴とする。
【発明の効果】
【００１１】
本発明により、デジタルコンテンツのコピーに係わるコメントを表示することで、ユーザによるコピー管理の利便性を向上することができるデジタルコンテンツコピー装置を提供することができる。
【発明を実施するための最良の形態】
【００１２】
図１は、本発明の概略を説明するための図で、１００は、本発明に係わるデジタルコンテンツコピー装置に接続された表示装置に表示される、タイトル選択画面である。
ユーザが、フォーカスＦを移動することによって、タイトル選択画面１００に表示されたタイトル（デジタルコンテンツ）を選択すると、当該選択したデジタルコンテンツのコピー履歴がコピー履歴画面１０１にリスト表示される。
【００１３】
コピー履歴画面１０１は、選択したタイトルのコピー回数欄１０１ａ、コピーしたデジタルコンテンツを記録した記録媒体（メディア）の種類欄１０１ｂ、コピーしたデジタルコンテンツの画質欄１０１ｃ、コピーの際にユーザが入力したコメント欄１０１ｄから構成される。
【００１４】
このように、コピーの際に付したコメントを閲覧できるので、コピー管理が容易になる。
【００１５】
図２は、本発明に係わるデジタルコンテンツコピー装置１の機能を説明するためのブロック図である。
なお、以下の説明では、前述のダビング１０の場合を例示して説明する。
【００１６】
１１は、外部機器接続部で、外部機器、例えば、デジタル放送受信器２との接続機能を提供する。デジタル放送受信器２から受信したデジタルコンテンツは、デジタルコンテンツコピー装置１に記録される。
【００１７】
１２は、十字キー、文字キー等から構成される操作部で、デジタルコンテンツコピー装置１を操作する。ユーザは、操作部１２のキーを操作し、前述のコメントを入力する。操作部１２は、デジタルコンテンツのコピーに係わるコメントを入力する手段として機能する。なお、操作部１２は、リモコンから構成してもよい。
【００１８】
１３は、記録媒体装着部で、フラッシュメモリ、ＳＤカード、ＤＶＤなどの記録媒体３をデジタルコンテンツコピー装置１に装着するためのインターフェイスとして機能する。
【００１９】
ＨＤＤ１４は、大容量記録装置で、ここでは複数のデジタルコンテンツが記録されている。なお、前記デジタルコンテンツは、ダビング１０に対応しているものとする。
【００２０】
１５は、制御部で、各機能ブロックを制御する。
【００２１】
２１は、コピー／ムーブ制御部で、ＨＤＤ１４に記録されているデジタルコンテンツのコピー処理、ムーブ処理（移動処理）を制御する。後述するテーブルに記録されているデジタルコンテンツのコピー回数が、当該デジタルコンテンツに設定されている許容コピー回数に達した後、更に、ユーザによって、前記デジタルコンテンツのコピーが指示された場合には、コピーは実行せず、ムーブ処理を実行する。
【００２２】
２２は、コピー履歴管理部で、コピー／ムーブ制御部２１が、ＨＤＤ１４に記録されているデジタルコンテンツを同ＨＤＤ１４、記録媒体３等にコピーした場合に、当該コピー処理に係わる様々な履歴情報を管理する。
【００２３】
図３は、履歴情報を管理するための履歴テーブル５０で、デジタルコンテンツに対応して、当該デジタルコンテンツを記録媒体にコピーする際に、ユーザによって操作部１２を介して入力されたコメントを記録する。
履歴テーブル５０は、デジタルコンテンツの名称を記録するデジタルコンテンツ名欄５１、デジタルコンテンツのコピー回数を記録するコピー回数欄５２ａ、コピーしたデジタルコンテンツを記録した記録媒体の種類欄５２ｂ、コピーしたデジタルコンテンツの画質欄５２ｃ、コピーの際にユーザが入力したコメント欄５２ｄから構成される。
【００２４】
また、履歴テーブル５０に対応するデジタルコンテンツに許容コピー回数が設定されている場合には、デジタルコンテンツ名欄５１に、前記許容コピー回数が記録される。
なお、コピー回数欄５２ａにおいて、一番下に記録されているコピー回数（図の点線囲み参照）が、履歴テーブル５０に対応するデジタルコンテンツの総コピー回数を示す。
【００２５】
コピー履歴管理部２２は、デジタルコンテンツをコピーする際に、前記各欄（５２ａ〜５２ｄ）に、対応するデータを記録する。なお、前記記録処理については後述する。
【００２６】
２３は、ＯＳＤデータ生成部２３で、図示しない表示装置に表示するＯＳＤ画面用のＯＳＤデータを生成し、前記表示装置に出力する。
【００２７】
（タイトル履歴画面の表示）
次に、図１に示すコピー履歴画面１０１を表示する際に実行される処理について説明する。
なお、既に、図２に示す履歴テーブル５０が記録されているものとする。
【００２８】
まず、ユーザが、操作部１２を操作して、ＨＤＤ１４に記録されたデジタルコンテンツを選択するタイトル選択画面１００を表示するように指示する。
前記指示を受けたデジタルコンテンツコピー装置１のＯＳＤデータ生成部２３は、タイトル選択画面１００用のＯＳＤデータを生成し、表示装置に出力する。
【００２９】
ユーザが、表示されたタイトル選択画面１００上のフォーカスＦを移動させて、コピー履歴を表示するデジタルコンテンツを選択（指示）すると、コピー履歴管理部２２は、フォーカスＦによって選択されたデジタルコンテンツに対応する履歴テーブル５０を検索し、ＯＳＤデータ生成部２３に出力する。
前記履歴テーブル５０を受信したＯＳＤデータ生成部２３は、当該履歴テーブル５０に対応する、コピー履歴画面１０１用のＯＳＤデータを生成し、表示装置に出力する。前記表示装置は、コピー履歴画面１０１を表示する（図１参照）。
このようにして、ユーザの指示により、デジタルコンテンツ毎に入力されたコメントがリスト表示される。
【００３０】
（デジタルコンテンツのコピー）
ここで、デジタルコンテンツをコピーする際に、実行される処理について詳細に説明する。
まず、ユーザが、操作部１２を操作して、コピーするデジタルコンテンツ、当該デジタルコンテンツのコピー（コピーデジタルコンテンツ）を記録する記録媒体、及び、コピーデジタルコンテンツの画質を選択する。
【００３１】
ここでは、コピーするデジタルコンテンツとして、名称“デジタルコンテンツＸ”で特定されるデジタルコンテンツが選択され、コピーデジタルコンテンツを記録する記録媒体として“ＤＶＤ”が選択され、コピーデジタルコンテンツの画質として“ＳＰ”（Standard Playing）が選択されたとする。
【００３２】
コピー／ムーブ制御部２１は、履歴テーブル５０を参照し、選択されたデジタルコンテンツの総コピー回数が、当該デジタルコンテンツに設定されたコピー許容回数（例えば９回）未満か否かを判定し、コピー許容回数未満の場合には、ＯＳＤデータ生成部２３は、コメント入力用のＯＳＤ画面データを生成し、図示しない表示装置に出力する。前記表示装置は、例えば図４に示すコメント入力画面１１０を表示する。
【００３３】
ユーザが、操作部１２のキーを操作して、コメント入力画面１１０の入力ボックス１１１にコメント“２階のＤＶＤプレーヤ用”を入力して、操作部１２のコピー実行キーを操作する。
【００３４】
すると、コピー履歴管理部２２は、選択されたデジタルコンテンツに対応する履歴テーブル５０の各欄（５２ａ〜５２ｄ）に対応するデータを記録する。
前述の例では、コピー履歴管理部２２は、履歴テーブル５０のコピー回数欄５２ａに記録されている、前記選択されたデジタルコンテンツの総コピー回数が４回の場合には、履歴テーブル５０のコピー回数欄５２ａに“５回”（４回＋１回）、記録媒体の種類欄５２ｂに“ＤＶＤ”、画質欄５２ｃに“ＳＰ”、コメント欄５２ｄに入力されたコメント“２階のＤＶＤプレーヤ用”を記録する（図３の点線囲み参照）。
【００３５】
なお、選択されたデジタルコンテンツのコピーが第１回目の場合、履歴テーブル５０がないので、コピー履歴管理部２２は、新たに履歴テーブルを生成し、当該履歴テーブルのデジタルコンテンツ名欄にデジタルコンテンツの名称、例えば“デジタルコンテンツＸ”を記録する。
【００３６】
なお、前記総コピー回数が許容コピー回数の場合には、コピー処理が実行されずムーブ処理が行われる。
【００３７】
ここで、図１に示すコピー履歴画面１０１を表示する際に実行される処理について図５のフロー図を説明する。
まず、ユーザが、操作部１２を操作して、タイトル選択画面１００を表示するように指示すると（ステップＳ１）、デジタルコンテンツコピー装置１は、表示装置にタイトル選択画面１００を表示する（ステップＳ２）。
【００３８】
ユーザが、表示されたタイトル選択画面１００上のフォーカスＦを移動させて、コピー履歴を表示するデジタルコンテンツを選択すると（ステップＳ３）、コピー履歴管理部２２は、フォーカスＦによって選択されたデジタルコンテンツに対応する履歴テーブル５０を検索し、ＯＳＤデータ生成部２３に出力する（ステップＳ４）。
【００３９】
前記履歴テーブル５０を受信したＯＳＤデータ生成部２３は、当該履歴テーブル５０に対応する、コピー履歴画面１０１用のＯＳＤデータを表示装置に出力し、当該表示装置は、コピー履歴画面１０１を表示する（ステップＳ５）。
【００４０】
次に、デジタルコンテンツをコピーする際に実行される処理について図６のフロー図を用いて説明する。
まず、ユーザが、操作部１２を操作して、コピーするデジタルコンテンツを選択する（ステップＳ１１）。
【００４１】
次に、コピー／ムーブ制御部２１は、選択されたデジタルコンテンツの総コピー回数が９回未満か否かを判定し（ステップＳ１２）、９回未満の場合には（ステップＳ１２／ＹＥＳ）、表示装置は、コメント入力画面１１０を表示する（ステップＳ１３）。
【００４２】
ユーザが、操作部１２のキーを操作して、コメント入力画面１１０の入力ボックス１１１にコメントを入力して（ステップＳ１４）、操作部１２のコピー実行キーを操作する。
【００４３】
すると、コピー履歴管理部２２は、選択されたデジタルコンテンツに対応する履歴テーブル５０の各欄（５２ａ〜５２ｄ）に対応するデータを記録する（ステップＳ１５）。
同時に、コピー／ムーブ制御部２１は、コピーデジタルコンテンツを記録媒体３に記録する（ステップＳ１６）。
【００４４】
なお、ステップＳ１２で総コピー回数が９回の場合には（ステップＳ１２／ＮＯ）、コピーを実行せず、ムーブ処理のみを行う（ステップＳ１７）。その際、後述するガイダンス画面を表示することもできる。
【００４５】
（バリエーション）
上記のダビング１０の場合には、デジタルコンテンツの総コピー回数が９回（許容コピー回数）になると、以後、当該デジタルコンテンツをコピーすることができず、ムーブ（移動）のみ可能となる。
このような場合、総コピー回数が９回に達した後、更に、ユーザによって、デジタルコンテンツのコピーが指示されると（１０回目のコピー）、図７に例示する所定のガイダンス画面１２０を表示して、ユーザに最高画質でムーブするように推奨することができる。
【００４６】
上記の画面表示を実現するためには、コピー／ムーブ制御部２１が、コピーが指示されたデジタルコンテンツの総コピー回数が９回であることを検知すると、ＯＳＤデータ生成部２３に、図７に示すガイダンス画面１２０用のＯＳＤデータを生成するように指示する。前記指示を受けたＯＳＤデータ生成部２３は、前記ＯＳＤデータを生成し、表示装置に出力する。
このようにすることで、ユーザの利便性が向上する。
【００４７】
記録媒体３、ＨＤＤ１４は、複数あってもよく、これらは、外付けでも内蔵機器でもよい。
ＨＤＤ１４の他にも、大容量メモリ、ＣＤ、ＤＶＤ、ＢＤ（Blu-ray Disc）を記録装置として用いることができる。
記録媒体３として、ＨＤＤ、ＣＤ、ＤＶＤ、ＢＤ、携帯型音楽／映像再生端末を用いることができる。他にも、ＩＥＥＥ１３９４／ホームネットワークを介して接続される外部記録装置であってもよい。
【００４８】
デジタルコンテンツは、記録媒体装着部１３を介してＤＶＤ等の記録媒体から取得してもよい。また、サーバ装置が配信するデジタルコンテンツを、インターネット等を介して取得してもよい。他にも、ケーブルテレビ放送、ブロードバンドＶＯＤ等を受信可能なＳＴＢ（Set-top box）にデジタルコンテンツコピー装置１を接続し、前記ＳＴＢからデジタルコンテンツを取得してもよい。
【図面の簡単な説明】
【００４９】
【図１】本発明の概略を説明するための図である。
【図２】本発明に係わるデジタルコンテンツコピー装置の機能を説明するためのブロック図である。
【図３】履歴情報を管理するための履歴テーブルの一例である。
【図４】コメント入力画面の一例である。
【図５】コピー履歴画面を表示する際に実行される処理を説明するフロー図である。
【図６】デジタルコンテンツをコピーする際に実行される処理を説明するフロー図である。
【図７】ガイダンス画面の一例である。
【符号の説明】
【００５０】
１…デジタルコンテンツコピー装置、２…デジタル放送受信器、３…記録媒体、１１…外部機器接続部、１２…操作部、１３…記録媒体装着部、１４…ＨＤＤ、１５…制御部、２１…コピー／ムーブ制御部、２２…コピー履歴管理部、２３…ＯＳＤデータ生成部、５０…履歴テーブル、１００…タイトル選択画面、１０１…コピー履歴画面、１１０…コメント入力画面、１１１…入力ボックス、１２０…ガイダンス画面。
【図１】
2010033634.tif 000003
【図２】
2010033634.tif 000004
【図３】
2010033634.tif 000005
【図４】
2010033634.tif 000006
【図５】
2010033634.tif 000007
【図６】
2010033634.tif 000008
【図７】
2010033634.tif 000009